(57)【要約】      （修正有）【課題】クリーナ用粘着式ローラー製作装置の製作コストを極端に低減させる。【解決手段】粘着テープを引き出す方向即ち下流側から巻き込む方向即ち上流側に向い、かつローラーの軸方向の片側から他の側へ向けて切り目を入れ、ローラーの軸方向の他の側へ行き着く前に切り目を止めることができるクリーナ用粘着式ローラー製作装置においてローラーを、上面に板状刃を斜めに取り付けた平板の上を、ローラーの軸と直角の方向に左右両端を平行にして転がすだけの簡便な方法で上記の切り目を入れる。【選択図】図１
2010064148.tif 000002
【特許請求の範囲】
【請求項１】
特願２００６−２４０８２３に係るクリーナ用粘着式ローラーに引き出す方向即ち下流側からローラーを巻き込む方向即ち上流側に向ってかつローラーの軸方向の片側から他の側へ向けて切り目をいれ、ローラーの軸方向の他の側へ行き着く前に切り目を止めることを特徴とするクリーナ用粘着式ローラーの制作装置において、ローラーをローラーの軸と直角の方向に左右両端を平行にして平板の上に転がすだけのより簡便な方法で刃物を使用して上記の切り目を入れることを特徴とするクリーナ用粘着式ローラーの制作装置
【請求項２】
請求項１のクリーナ用粘着式ローラーの制作装置において、平板に斜めの角度で歯を上にして水平に埋め込み、その上をローラーを回転させながら上から圧力を加えることにより、刃物の角度に従ってローラーに上記の切り目を入れることを特徴とするクリーナ用粘着式ローラーの制作装置
【請求項３】
請求項２のクリーナ用粘着式ローラーの制作装置において、ローラーを転がすときに、ローラーが浮き上がらないように抑えるために、ローラーを転がす平板と平行にローラーの直径と同じ長さの距離に平板を被せるようにして敷くことを特徴とするクリーナ用粘着式ローラーの制作装置
【請求項４】
請求項２のクリーナ用粘着式ローラーの制作装置において、ローラーを上流側から下流側に回転させながら回す前提で、上流側が先に刃物に触れかつローラーの端面からある距離を置いて切れ目が入り、下流側の端面まで斜めに切り目が入ることを特徴とするクリーナ用粘着式ローラーの制作装置
【請求項５】
請求項４のクリーナ用粘着式ローラーの制作装置において、刃を途中あけることにより、ローラーの切れ目に点付けをほどこすことを特徴とするクリーナ用粘着式ローラーの制作装置
【発明の詳細な説明】
【技術分野】
【０００１】  この発明は、クリーナ用粘着式ローラーに引き出す方向即ち下流側からローラーを巻き込む方向即ち上流側に向ってかつローラーの軸方向の片側から他の側へ向けて切り目をいれ、ローラーの軸方向の他の側へ行き着く前に切り目を止めることを特徴とするクリーナ用粘着式ローラーの制作装置において、上記の切り目をより簡便な方法で入れるための技術に関するものである。
【背景技術】
【０００２】    従来この種のクリーナ用粘着式ローラーの制作装置においては、ローラーの軸に平行な水平方向に直線または段階状に点線の切込みを入れる装置はあるが、クリーナ用粘着式ローラーに引き出す方向即ち下流側からローラーを巻き込む方向即ち上流側に向ってかつローラーの軸方向の片側から他の側へ向けて切り目をいれ、ローラーの軸方向の他の側へ行き着く前に切り目を止めることを特徴とするクリーナ用粘着式ローラーに上記の切り目を入れる装置は特願２００８−３１０９６を除いて存在していない。
【発明の開示】
【発明が解決しようとする課題】
【０００３】  上記の切れ目は、円周方向に回転しつつ、かつ軸方向に斜めに入り深さを一定に保つ必要があることから、仮に現代の通常の技術で実現しようとするならば、ＮＣマシーンまたは歯車機構を使用して、ローラーの回転と刃物の水平移動をシンクロさせる方法が考えられるが、複雑で高価である。
クリーナ用粘着式ローラーは安価であるため、製作コストを極端に低減させる必要がある。また、特願２００８−３１０９６においては、上記の切り目を連続的に入れるには便利であるが、途中点止めのための繋ぎを作る場合は、動作が複雑になる。
【課題を解決するための手段】
【０００４】  本発明は、上記の課題を解決するために考案したもので、平板に斜めの角度で歯を上にして水平に埋め込み、その上をローラーを回転させながら上から圧力を加えることにより、特願２００８−３１０９６よりもより簡便な方法で刃物を使用して上記の切り目を入れることを特徴とするものである。【０００５】  また、ローラーを転がすときに、ローラーが浮き上がらないように抑えるために、ローラーを転がす平板と平行にローラーの直径と同じ長さの距離に平板を被せるようにして敷くことを特徴とするものである。【０００６】  さらに、ローラーを上流側から下流側に回転させながら回す前提で、上流側が先に刃物に触れかつローラーの端面からある距離を置いて切れ目が入り、下流側の端面まで斜めに切り目が入ること及び刃を途中あけることにより、ローラーの切れ目に点付けをほどこすことを特徴とするものである。これにより、特願２００８−３１０９６において複雑な動作になる点止めのための繋ぎを作る作業を簡便に行うことが出来る。
【発明の効果】
【０００７】  本発明により、ＮＣマシーンまたは歯車機構を使用して、ローラーの回転と刃物の水平移動をシンクロさせる複雑で高価な方法を使用することなく、平板に斜めの角度で歯を上にして水平に埋め込み、その上をローラーを回転させながら上から圧力を加えることにより簡便な方法で刃物を使用して上記の切り目を入れることができることから、より安価な制作装置となり、安価なクリーナ用粘着式ローラーにより安価な方法で、上記の切り目を入れることができる。こうすることにより、オートメーション化をより容易にし製品の増産に寄与することが出来る。
【発明を実施するための最良の形態】
【０００８】  以下、本発明のクリーナ用粘着式ローラーの制作装置の最良の形態について、図面を参照して説明する。
【実施例１】
【０００９】  図１は、本発明の一例としてクリーナ用粘着式ローラーの制作装置の全体を原理的に示す斜視図である。
平板１に刃２を斜めの角度で歯を上にして水平に埋め込み、ローラー３をローラーの軸と直角の方向（矢印の方向）に左右両端を平行にして平板の上に転がすだけで上記の切り目を入れることができる。
刃２の取り付け角度は、ローラーの軸方向に対し０度〜９０度まで選択できるが、その角度に応じて刃に曲率を設ける必要がある。０度〜３０度及び６０度〜９０度の範囲では刃に無理な力がかかるものの、刃の高さが低い場合には直線刃でも差し支えない。
３０度〜６０度の範囲においては、ローラーに付く切れ目の曲率に合わせて、刃に曲率を設ける必要がある。特に４５度の時点で曲率が最大になる。
また、刃の高さが高い場合には、３０度〜６０度以外の範囲においても角度に応じて刃に曲率を設ける必要がでてくる。【００１０】  図２は、ローラーを転がすときに、ローラーが浮き上がらないように抑えるために、ローラーを転がす平板と平行にローラーの直径と同じ長さの距離に平板４を被せた状態を示すクリーナ用粘着式ローラーの制作装置の斜視図である。【００１１】  図３は、ローラーを上流側から下流側に回転させながら回す前提で、上流側が先に刃物に触れかつローラーの端面からある距離を置いて切れ目が入り、下流側の端面まで斜めに切り目が入ること及び刃を途中あけることにより、ローラーの切れ目に点付けをほどこすように刃５及び刃６を取り付けた状態を示すクリーナ用粘着式ローラーの制作装置の斜視図である。こうすることにより、特願２００８−３１０９６において複雑な動作になる点止めのための繋ぎを作る作業を簡便に行うことが出来る。
【産業上の利用可能性】
【００１２】  今日では、クリーナ用粘着式ローラーの軸に平行な水平方向に直線または段階状に点線の切込みを入れる装置はあるが、クリーナ用粘着式ローラーに引き出す方向即ち下流側からローラーを巻き込む方向即ち上流側に向ってかつローラーの軸方向の片側から他の側へ向けて切り目をいれ、ローラーの軸方向の他の側へ行き着く前に切り目を止めることを特徴とするクリーナ用粘着式ローラーに上記の切り目を入れる装置は特願２００８−３１０９６を除いて存在していない。
上記の切れ目は、円周方向に回転しつつ、かつ軸方向に斜めに入り深さを一定に保つ必要があることから、仮に現代の技術で実現しようとするならば、ＮＣマシーンまたは歯車機構を使用して、ローラーの回転と刃物の水平移動をシンクロさせる方法が考えられるが、複雑で高価である。ところが、クリーナ用粘着式ローラーは安価であるため、製作コストを極端に低減させる必要がある。
本発明は、平板に斜めの角度で歯を上にして水平に埋め込み、その上をローラーを回転させながら上から圧力を加えることにより、簡便な方法で刃物を使用して上記の切り目を入れることができるため、オートメーション化を図る際に安価な装置を提供することができることから、産業上の利用価値が極めて高いものである。
【図面の簡単な説明】
【００１３】
【図１】  本発明の一例として制作装置の全体を原理的に示す斜視図である。
【図２】  ローラーを転がすときに、ローラーが浮き上がらないように抑えるために、ローラーを転がす平板と平行にローラーの直径と同じ長さの距離に平板４を被せた状態を示すクリーナ用粘着式ローラーの制作装置の斜視図である。
【図３】  ローラーを上流側から下流側に回転させながら回す前提で、上流側が先に刃物に触れかつローラーの端面からある距離を置いて切れ目が入り、下流側の端面まで斜めに切り目が入ること及び刃を途中あけることにより、ローラーの切れ目に点付けをほどこすように刃５及び刃６を取り付けた状態を示すクリーナ用粘着式ローラーの制作装置の斜視図である。
【符号の説明】
【００１４】  １；平板
２；刃
３；ローラー
４；平板
５；刃
６；刃
【図１】
2010064148.tif 000003
【図２】
2010064148.tif 000004
【図３】
2010064148.tif 000005
【手続補正書】
【提出日】平成20年12月22日(2008.12.22)
【手続補正１】
【補正対象書類名】特許請求の範囲
【補正対象項目名】請求項１
【補正方法】変更
【補正の内容】
【請求項１】
特願２００６−２４０８２３に係るクリーナ用粘着式ローラーに引き出す方向即ち下流側からローラーを巻き込む方向即ち上流側に向ってかつローラーの軸方向の片側から他の側へ向けて切り目をいれ、ローラーの軸方向の他の側へ行き着く前に切り目を止めることを特徴とするクリーナ用粘着式ローラーの制作装置において、ローラーをローラーの軸と直角の方向に左右両端を平行にして平板又は湾曲板の上に転がすだけのより簡便な方法で刃物を使用して上記の切り目を入れることを特徴とするクリーナ用粘着式ローラーの制作装置
【手続補正２】
【補正対象書類名】特許請求の範囲
【補正対象項目名】請求項２
【補正方法】変更
【補正の内容】
【請求項２】
請求項１のクリーナ用粘着式ローラーの制作装置において、平板又は湾曲板に斜めの角度で歯を上にして水平に埋め込み、その上をローラーを回転させながら上から圧力を加えることにより、刃物の角度に従ってローラーに上記の切り目を入れることを特徴とするクリーナ用粘着式ローラーの制作装置
【手続補正３】
【補正対象書類名】明細書
【補正対象項目名】０００４
【補正方法】変更
【補正の内容】
【０００４】  本発明は、上記の課題を解決するために考案したもので、平板又は湾曲板に斜めの角度で歯を上にして水平に埋め込み、その上をローラーを回転させながら上から圧力を加えることにより、特願２００８−３１０９６よりもより簡便な方法で刃物を使用して上記の切り目を入れることを特徴とするものである。
【手続補正４】
【補正対象書類名】明細書
【補正対象項目名】０００７
【補正方法】変更
【補正の内容】
【０００７】  本発明により、ＮＣマシーンまたは歯車機構を使用して、ローラーの回転と刃物の水平移動をシンクロさせる複雑で高価な方法を使用することなく、平板又は湾曲板に斜めの角度で歯を上にして水平に埋め込み、その上をローラーを回転させながら上から圧力を加えることにより簡便な方法で刃物を使用して上記の切り目を入れることができることから、より安価な制作装置となり、安価なクリーナ用粘着式ローラーにより安価な方法で、上記の切り目を入れることができる。こうすることにより、オートメーション化をより容易にし製品の増産に寄与することが出来る。
【手続補正５】
【補正対象書類名】明細書
【補正対象項目名】０００９
【補正方法】変更
【補正の内容】
【０００９】  図１は、本発明の一例としてクリーナ用粘着式ローラーの制作装置の全体を原理的に示す斜視図である。
平板１に刃２を斜めの角度で歯を上にして水平に埋め込み、ローラー３をローラーの軸と直角の方向（矢印の方向）に左右両端を平行にして平板の上に転がすだけで上記の切り目を入れることができる。
刃２の取り付け角度は、ローラーの軸方向に対し０度〜９０度まで選択できるが、その角度に応じて刃に曲率を設ける必要がある。刃に曲率を設けるには２種類あって、刃を平板の上で湾曲させる場合と、図４に示すとおり平板を湾曲させる場合が考えられる。平板の湾曲をクリーナ用粘着式ローラーの円周の曲率に近づけることにより、刃に無理な力がかからなくなる。０度〜３０度及び６０度〜９０度の範囲では刃に無理な力がかかるものの、刃の高さが低い場合には直線刃でも差し支えない。
３０度〜６０度の範囲においては、ローラーに付く切れ目の曲率に合わせて、刃に曲率を設ける必要がある。特に４５度の時点で曲率が最大になる。
また、刃の高さが高い場合には、３０度〜６０度以外の範囲においても角度に応じて刃に曲率を設ける必要がでてくる。
【手続補正６】
【補正対象書類名】明細書
【補正対象項目名】００１２
【補正方法】変更
【補正の内容】
【００１２】  今日では、クリーナ用粘着式ローラーの軸に平行な水平方向に直線または段階状に点線の切込みを入れる装置はあるが、クリーナ用粘着式ローラーに引き出す方向即ち下流側からローラーを巻き込む方向即ち上流側に向ってかつローラーの軸方向の片側から他の側へ向けて切り目をいれ、ローラーの軸方向の他の側へ行き着く前に切り目を止めることを特徴とするクリーナ用粘着式ローラーに上記の切り目を入れる装置は特願２００８−３１０９６を除いて存在していない。
上記の切れ目は、円周方向に回転しつつ、かつ軸方向に斜めに入り深さを一定に保つ必要があることから、仮に現代の技術で実現しようとするならば、ＮＣマシーンまたは歯車機構を使用して、ローラーの回転と刃物の水平移動をシンクロさせる方法が考えられるが、複雑で高価である。ところが、クリーナ用粘着式ローラーは安価であるため、製作コストを極端に低減させる必要がある。
本発明は、平板又は湾曲板に斜めの角度で歯を上にして水平に埋め込み、その上をローラーを回転させながら上から圧力を加えることにより、簡便な方法で刃物を使用して上記の切り目を入れることができるため、オートメーション化を図る際に安価な装置を提供することができることから、産業上の利用価値が極めて高いものである。
【手続補正７】
【補正対象書類名】明細書
【補正対象項目名】００１３
【補正方法】変更
【補正の内容】
【００１３】
【図１】  本発明の一例として制作装置の全体を原理的に示す斜視図である。
【図２】  ローラーを転がすときに、ローラーが浮き上がらないように抑えるために、ローラーを転がす平板と平行にローラーの直径と同じ長さの距離に平板４を被せた状態を示すクリーナ用粘着式ローラーの制作装置の斜視図である。
【図３】  ローラーを上流側から下流側に回転させながら回す前提で、上流側が先に刃物に触れかつローラーの端面からある距離を置いて切れ目が入り、下流側の端面まで斜めに切り目が入ること及び刃を途中あけることにより、ローラーの切れ目に点付けをほどこすように刃５及び刃６を取り付けた状態を示すクリーナ用粘着式ローラーの制作装置の斜視図である。
【図４】  本発明の一例として制作装置の平板を湾曲板にした場合の斜視図である。
【手続補正８】
【補正対象書類名】明細書
【補正対象項目名】００１４
【補正方法】変更
【補正の内容】
【００１４】１；平板
２；刃
３；ローラー
４；平板
５；刃
６；刃
７；湾曲板
【手続補正９】
【補正対象書類名】図面
【補正対象項目名】図４
【補正方法】追加
【補正の内容】
【図４】
2010064148.tif 000006